【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
コンテンツに関する管理情報を生成する管理情報生成装置と，該管理情報を加工する管理情報加工装置と，該管理情報を保有する管理サーバとがネットワークを介して接続されたコンテンツ管理システムであって：
前記管理情報生成装置は，前記管理情報の一つであり前記コンテンツの各シーンに構成される１又は２以上のカットに係るカットメタ情報を生成するカットメタ情報生成部と；
前記カットに登場する少なくとも被写体及び／又は楽曲に関する属性情報を取得し，そのカットと対応するカットメタ情報に該属性情報を関連付ける属性関連付け部と；
１又は２以上のカットメタ情報を組み合わせて，該カットメタ情報各々の内容をまとめ，１又は２以上のカットから構成されるシーンのメタ情報であるシーンメタ情報を生成するシーンメタ情報生成部と；
を備えており，
前記管理情報加工装置は，カットの撮影に関するテイクメタ情報を取得するテイクメタ情報取得部と；
前記シーンメタ情報，または，そのシーンメタ情報に関連付けられたカットメタ情報のうち少なくとも一つを取得し，該シーンメタ情報及び／又はカットメタ情報と前記テイクメタ情報とを関連付けるテイク関連付け部と；
前記シーンメタ情報，前記カットメタ情報，該カットメタ情報に関連付けられた前記属性情報，または前記テイクメタ情報を加工する加工部と；
を備えることを特徴とする，コンテンツ管理システム。
【請求項２】
前記コンテンツ管理システムは，
前記被写体から無線で送出される送出情報を自動的に読み取る自動読み取り部と；
前記送出情報の読み取りのタイミングで生成された日時情報コードと，その送出情報とを対応付けてテイクメタ情報を生成するテイクメタ情報生成部と；
を備えた撮像装置をさらに有しており，
前記管理情報加工装置は，前記撮像装置により生成された前記テイクメタ情報を取得することを特徴とする，請求項１に記載のコンテンツ管理システム。
【請求項３】
前記管理サーバは，前記管理情報生成装置からシーンメタ情報及び／又はカットメタ情報を受信すると，そのメタ情報を管理情報データベースに格納し，さらに前記撮像装置からテイクメタ情報を受信すると，その１又は２以上のテイクメタ情報をリスト化したリスト情報を前記管理情報加工装置に送信することを特徴とする，請求項１に記載のコンテンツ管理システム。
【請求項４】
前記管理サーバは，前記管理情報生成装置からシーンメタ情報及び／又はカットメタ情報を受信すると，それらのメタ情報を管理情報データベースに格納し，さらに前記管理情報加工装置からテイクメタ情報を受信すると，そのテイクメタ情報と関連するシーンメタ情報又はカットメタ情報のうち少なくとも一方を，該テイクメタ情報を基に更新することを特徴とする，請求項１に記載のコンテンツ管理システム。
【請求項５】
コンテンツに関する管理情報を生成する管理情報生成装置であって：
前記管理情報の一つであり前記コンテンツの各シーンに構成される１又は２以上のカットに係るカットメタ情報を生成するカットメタ情報生成部と；
前記カットに登場する少なくとも被写体及び／又は楽曲に関する属性情報を取得し，そのカットに対応するカットメタ情報に該属性情報を関連付ける属性関連付け部と；
１又は２以上のカットメタ情報を組み合わせて，該カットメタ情報各々の内容をまとめ，１又は２以上のカットから構成されるシーンのメタ情報であるシーンメタ情報を生成するシーンメタ情報生成部と；
を備えることを特徴とする，管理情報生成装置。
【請求項６】
前記シーンメタ情報生成部は，前記各カットメタ情報に係る属性情報の内容がまとめられた属性リスト情報を生成し，その属性リスト情報は画面上に表示されることを特徴とする，請求項５に記載の管理情報生成装置。
【請求項７】
コンピュータをして，コンテンツに関する管理情報を生成する管理情報生成装置として機能させるコンピュータプログラムであって：
前記管理情報の一つであり前記コンテンツの各シーンに構成される１又は２以上のカットに係るカットメタ情報を生成するカットメタ情報生成手段と；
前記カットに登場する少なくとも被写体及び／又は楽曲に関する属性情報を取得し，そのカットに対応するカットメタ情報に該属性情報を関連付ける属性関連付け手段と；
１又は２以上のカットメタ情報を組み合わせて，該カットメタ情報各々の内容をまとめ，１又は２以上のカットから構成されるシーンのメタ情報であるシーンメタ情報を生成するシーンメタ情報生成手段と；
を含むことを特徴とする，コンピュータプログラム。
【請求項８】
コンテンツに関する管理情報を加工する管理情報加工装置であって：
前記管理情報の一つでありカットの撮影に関するテイクメタ情報を取得するテイクメタ情報取得部と；
前記シーンメタ情報，または，そのシーンメタ情報と関連付くカットメタ情報のうち少なくとも一つを取得し，その取得したシーンメタ情報及び／又はカットメタ情報と前記テイクメタ情報とを関連付けるテイク関連付け部と；
前記シーンメタ情報，前記カットメタ情報，該カットメタ情報に関連付く情報であり前記カットに登場する少なくとも被写体及び／又は楽曲に関する属性情報，または前記テイクメタ情報を加工する加工部とを備えることを特徴とする，管理情報加工装置。
【請求項９】
前記テイクメタ情報取得部は，前記管理情報加工装置とネットワークを介して接続された管理サーバの管理情報データベースに格納されたテイクメタ情報を取得することを特徴とする，請求項８に記載の管理情報加工装置。
【請求項１０】
前記テイクメタ情報は，
前記被写体から無線で送出される送出情報を自動的に読み取る自動読み取り部と；
前記送出情報の読み取りのタイミングで生成された日時情報コードと，その送出情報とを対応付けてテイクメタ情報を生成するテイクメタ情報生成部と；
を備えた撮像装置により生成され，
前記テイクメタ情報取得部は，前記撮像装置により生成された前記テイクメタ情報を取得することを特徴とする，請求項８に記載の管理情報加工装置。
【請求項１１】
前記シーンメタ情報，前記シーンメタ情報又はカットメタ情報各々に含まれる全ての属性情報の項目を一覧にリスト化した属性リスト情報，該シーンメタ情報に関連付けられたカットメタ情報，および該カットメタ情報に関連付けられたテイクメタ情報を，１又は２以上のシーン又はカットごとに画面上に表示するための画面情報を生成する画面情報生成部を備えることを特徴とする，請求項８に記載の管理情報加工装置。
【請求項１２】
利用者からの入力を受付けることによりコンテンツには含まない対象外のシーンが選択されると，前記加工部は，前記シーンメタ情報に前記コンテンツの対象外のシーンであることを示す対象外フラグを設定することを特徴とする，請求項８に記載の管理情報加工装置。
【請求項１３】
前記加工部は，前記シーンメタ情報，前記カットメタ情報，または前記テイクメタ情報のうち少なくとも一つのメタ情報を，利用者からの入力によって設定されたイン点及びアウト点を基にして，分割することを特徴とする，請求項８に記載の管理情報加工装置。
【請求項１４】
前記加工部は，撮影により生成されたコンテンツ素材にイン点及びアウト点を設定することによって，該設定されたイン点及びアウト点範囲内の前記シーンメタ情報，カットメタ情報，およびテイクメタ情報に加工することを特徴とする，請求項８に記載の管理情報加工装置。
【請求項１５】
コンピュータをして，コンテンツに関する管理情報を加工する管理情報加工装置として機能させるコンピュータプログラムであって：
前記管理情報の一つでありカットの撮影に関するテイクメタ情報を取得するテイクメタ情報取得手段と；
前記シーンメタ情報，または，そのシーンメタ情報と関連付くカットメタ情報のうち少なくとも一つを取得し，その取得したシーンメタ情報及び／又はカットメタ情報と前記テイクメタ情報とを関連付けるテイク関連付け手段と；
前記シーンメタ情報，前記カットメタ情報，該カットメタ情報に関連付く情報であり前記カットに登場する少なくとも被写体及び／又は楽曲に関する属性情報，または前記テイクメタ情報を加工する加工手段と；
を含むことを特徴とする，コンピュータプログラム。